(57)【要約】      （修正有）【課題】光による装飾効果がより向上されたＬＥＤ表示器およびそのＬＥＤ表示器を用いた遊技場用表示パネルを提供する。【解決手段】ＬＥＤ表示器は、碁盤縞の交点に配されるように縦横に一定の間隔を空けて配置された複数個のＬＥＤ光源１４と、一定の幅Ｌおよび高さＨを有する長方形状の側壁１６が４枚組み合わされ、平面視が正方形の輪郭をなし、複数個のＬＥＤ光源の周囲をとり囲んでいて、上端縁１７は正方形の開口を形成している枠体１２と、枠体の開口を水平方向に覆う透明なアクリル板で形成された出射用窓板１３と、出射用窓板の上面に積層された光を屈折、分光、分散するための光学シート１８とを含む。【選択図】図２
0003197023.tif 000002
【実用新案登録請求の範囲】
【請求項１】
碁盤縞の交点に配されるように縦横に一定の間隔を空けて配置された複数個のＬＥＤ光源と、
一定の幅および高さを有する長方形状の側壁が４枚組み合わされ、平面視が正方形の輪郭をなし、前記複数個のＬＥＤ光源の周囲をとり囲んでいて、上端縁は正方形の開口を形成している枠体と、
前記枠体の前記開口を水平方向に覆う透明なアクリル板で形成された出射用窓板と、
前記出射用窓板の上面に積層された光を屈折、分光、分散するための光学シートと、
を含むことを特徴とするＬＥＤ表示器。
【請求項２】
前記複数個のＬＥＤ光源は、縦４列、横４行に配列された１６個のＬＥＤ光源を含むことを特徴とする、請求項１に記載のＬＥＤ表示器。
【請求項３】
前記枠体は、乳白のアクリル板で形成されており、前記枠体の高さ（前記側壁の高さ）は、６０ｍｍ〜１２０ｍｍであることを特徴とする、請求項１または２に記載のＬＥＤ表示器。
【請求項４】
前記枠体の側壁内面はミラー面とされていることを特徴とする、請求項３に記載のＬＥＤ表示器。
【請求項５】
前記ミラー面は、前記側壁内面にミラーフィルムを貼ることにより実現されていることを特徴とする、請求項４に記載のＬＥＤ表示器。
【請求項６】
前記出射用窓板は、平面視正方形で前記枠体の上端内周縁にぴたりとはまり込む窓板本体部と、
前記窓板本体部と一体に形成されていており、前記窓板本体部の厚み方向上部だけが外方へ張り出したフランジ部とを含み、
当該フランジ部の外周縁は前記枠体の上端外周縁と等しい形状であることを特徴とする、請求項１〜５のいずれか一項に記載のＬＥＤ表示器。
【請求項７】
前記光学シートは、碁盤縞に区画された細かな升目ごとに、平面レンズ加工が施されたレンズシートを含むことを特徴とする、請求項１〜６のいずれか一項に記載のＬＥＤ表示器。
【請求項８】
ベースボードと、
前記ベースボード上に一定の間隔をあけて縦横に複数台配列された請求項１〜７のいずれか一項に記載のＬＥＤ表示器と、
前記各ＬＥＤ表示器の前記出射用窓板だけを表面から露出させている前記ベースボードの上を覆う表面パネルと、
前記複数台のＬＥＤ表示器に電気的に接続されており、前記複数台のＬＥＤ表示器を予め定める規則に従って点灯・消灯させるための点灯制御回路と、
を含むことを特徴とする、遊技場用表示パネル。
【考案の詳細な説明】
【技術分野】
【０００１】
この考案は、ＬＥＤ表示器およびそのＬＥＤ表示器を用いた遊技場用表示パネルに関する。
【背景技術】
【０００２】
近年の遊技場においては、遊技機、例えばパチンコ機にＬＥＤ表示器が組み込まれたものが多くなっている。（例えば特許文献１を参照）。
また、遊技機を配置する島には、幕板、島飾り、妻板等が設けられるが、これら幕板、島飾り、妻板等にもＬＥＤ表示器を組み込み、光装飾機能を持たせたものが一般化している。（例えば特許文献２を参照）
【先行技術文献】
【特許文献】
【０００３】
【特許文献１】特許第４２６２９３９号公報
【特許文献２】特許第４５９４２８２号公報
【考案の概要】
【考案が解決しようとする課題】
【０００４】
遊技場において用いられるＬＥＤ表示器には、光による装飾効果がより向上したものが望まれている。
この考案は、係る背景の元になされたもので、光による装飾効果がより向上されたＬＥＤ表示器およびそのＬＥＤ表示器を用いた遊技場用表示パネルを提供することを主たる目的とする。
【課題を解決するための手段】
【０００５】
請求項１に係る考案は、碁盤縞の交点に配されるように縦横に一定の間隔を空けて配置された複数個のＬＥＤ光源と、一定の幅および高さを有する長方形状の側壁が４枚組み合わされ、平面視が正方形の輪郭をなし、前記複数個のＬＥＤ光源の周囲をとり囲んでいて、上端縁は正方形の開口を形成している枠体と、前記枠体の前記開口を水平方向に覆う透明なアクリル板で形成された出射用窓板と、前記出射用窓板の上面に積層された光を屈折、分光、分散するための光学シートと、を含むことを特徴とするＬＥＤ表示器である。
【０００６】
請求項２に係る考案は、前記複数個のＬＥＤ光源は、縦４列、横４行に配列された１６個のＬＥＤ光源を含むことを特徴とする、請求項１に記載のＬＥＤ表示器である。
請求項３に係る考案は、前記枠体は、乳白のアクリル板で形成されており、前記枠体の高さ（前記側壁の高さ）は、６０ｍｍ〜１２０ｍｍであることを特徴とする、請求項１または２に記載のＬＥＤ表示器である。
【０００７】
請求項４に係る考案は、前記枠体の側壁内面はミラー面とされていることを特徴とする、請求項３に記載のＬＥＤ表示器である。
請求項５に係る考案は、前記ミラー面は、前記側壁内面にミラーフィルムを貼ることにより実現されていることを特徴とする、請求項４に記載のＬＥＤ表示器である。
請求項６に係る考案は、前記出射用窓板は、平面視正方形で前記枠体の上端内周縁にぴたりとはまり込む窓板本体部と、前記窓板本体部と一体に形成されていており、前記窓板本体部の厚み方向上部だけが外方へ張り出したフランジ部とを含み、当該フランジ部の外周縁は前記枠体の上端外周縁と等しい形状であることを特徴とする、請求項１〜５のいずれか一項に記載のＬＥＤ表示器である。
【０００８】
請求項７に係る考案は、前記光学シートは、碁盤縞に区画された細かな升目ごとに、平面レンズ加工が施されたレンズシートを含むことを特徴とする、請求項１〜６のいずれか一項に記載のＬＥＤ表示器である。
請求項８に係る考案は、ベースボードと、前記ベースボード上に一定の間隔をあけて縦横に複数台配列された請求項１〜７のいずれか一項に記載のＬＥＤ表示器と、前記各ＬＥＤ表示器の前記出射用窓板だけを表面から露出させている前記ベースボードの上を覆う表面パネルと、前記複数台のＬＥＤ表示器に電気的に接続されており、前記複数台のＬＥＤ表示器を予め定める規則に従って点灯・消灯させるための点灯制御回路と、を含むことを特徴とする、遊技場用表示パネルである。
【考案の効果】
【０００９】
この考案によれば、ＬＥＤ光源と出射用窓板とは枠体によって一定寸法（枠体の高さ）だけ離れている。このため、ＬＥＤ光源の発する光は、出射用窓板に積層された光学シートを通過する際に、光学シートに施されたレンズ模様に変更され、装飾効果の高い多彩な光として放射される。
また、枠体の内面をミラー面とした場合には、出射される光がより多様化し、かつ、ＬＥＤ表示器を側方から見た場合にも、出射用窓板を通してミラー面で反射された装飾光を良好に見ることができる。
【図面の簡単な説明】
【００１０】
【図１】図１は、この考案の一実施形態に係るＬＥＤ表示器の縦断面図である。
【図２】図２は、この考案の一実施形態に係るＬＥＤ表示器の分解図である。
【図３】図３は、この考案の一実施形態に係る出射用窓板および光学シートの構成を説明するための縦断面図である。
【図４】図４は、この考案の一実施形態に係る遊技場用表示パネルの正面図（Ａ）および縦断面図（Ｂ）である。
【図５】図５は、この考案の一実施形態に係るＬＥＤ表示器の点灯状態を表す写真である。
【図６】図６は、この考案の一実施形態に係る遊技場用表示パネルの点灯状態を表す写真である。
【考案を実施するための形態】
【００１１】
以下には、図面を参照して、この考案の実施形態について具体的に説明をする。
図１は、この考案の一実施形態に係るＬＥＤ表示器１０の縦断面図であり、図２は、ＬＥＤ表示器１０の分解図である。
図１および図２を参照して、ＬＥＤ表示器１０は、４枚の基板１１と、枠体１２と、出射用窓板１３とを含んでいる。
【００１２】
基板１１は、平面視正方形であり、基板１１上には碁盤縞の交点に配されるように縦横に一定の間隔を空けて４個のＬＥＤ光源としてのＬＥＤチップ１４が配置されている。さらに、平面視で基板１１の中央部には４つのＬＥＤチップ１４の点灯制御用のＩＣ１５が設けられている。
基板１１上におけるＬＥＤチップ１４間の距離は横方向にｌ、縦方向にｌとされ、また、各ＬＥＤチップ１４と基板１１の周辺との距離はｌ／２とされている。
【００１３】
ＬＥＤ表示器１０においては、上述の基板１１が４枚組み合わされている。これにより、ＬＥＤ表示器１０は、ＬＥＤ光源（ＬＥＤチップ１４）が、縦４列、横４行に配列された１６個のＬＥＤチップ１４を備えた構成を有している。
枠体１２は、一定の幅Ｌおよび高さＨを有する長方形状の側壁１６が４枚組み合わされ、平面視が正方形の輪郭を成している。枠体１２は、１６個のＬＥＤ光源（ＬＥＤチップ１４）の周囲を取り囲んでおり、枠体１２の上端縁１７は、平面視正方形状の開口１９を形成している。
【００１４】
この実施形態では、枠体１２の４枚の側壁１６は、例えば乳白のアクリル板で形成されている。しかし、アクリル板のような樹脂板に代えて、例えば薄いベニヤ板等で構成することも可能である。
枠体１２の高さ（側壁１６の高さ）Ｈは、６０ｍｍ〜１２０ｍｍ程度の寸法とされている。この高さＨは、ＬＥＤチップ１４と出射用窓板１３との距離を一定に保つ上で大切である。なぜなら、出射用窓板１３に積層された光学シート１８のレンズ機能を十分に発揮させるためには、光源であるＬＥＤチップ１４と光学シート１８との距離が大切であり、高さＨが低すぎるとＬＥＤチップ１４の光は十分に拡散せず、一方、高さＨが高すぎると、レンズ作用により作り出される模様がぼやけてしまうからである。
【００１５】
枠体１２の側壁１６の内面は、ミラー面であることが望ましい。側壁１６の内面をミラー面にするには、側壁１６の内面にミラーフィルムを貼ることにより実現することができる。あるいは、枠体１２の内面にだけアルミ粒子等を蒸着させて、ミラー面とすることも可能である。
図３は、出射用窓板１３の縦断面図である。次に、図２および図３を参照して、出射用窓板１３について説明をする。
【００１６】
出射用窓板１３は、枠体１２の上端縁１７の開口１８を水平方向に覆う板で、透明なアクリル板で構成されている。
出射用窓板１３は、平面視が正方形で、枠体１２の上端内周縁にぴたりとはまり込む厚みの厚い窓板本体部１３１と、窓板本体部１３１と一体に形成されていて、窓板本体部１３１の厚み方向上部だけが外方へ張り出したフランジ部１３２とを含んでいる。換言すれば出射用窓板１３は、平面視正方形の一定の厚みの透明アクリル板の周辺部が段差状に切り取られて本体部１３１の周囲に段差をなして形成されたフランジ部１３２が備えられた構成である。フランジ部１３２は、その外周縁が枠体１２の外周縁と等しい形状とされている。これにより、枠体１２の上端開口１８に出射用窓板１３がはめられた際、出射用窓板１３は枠体１２と外輪郭が一致するようにぴたりとはまり込む。
【００１７】
出射用窓板１３の上面には、光学シート１８が積層されている。光学シート１８は、図２に模式的に示すように、碁盤縞に区画された細かな升目ごとに例えば平面レンズ加工が施された平面レンズシートである。このような光学シート１８は、通過する光を屈折、分光、分散する機能を有し、光学シート１８の上方から見たときに、ＬＥＤチップ１４の発する光が、あたかも各升目ごとに立体模様を成すように見せる。
【００１８】
当該光学シートは、一例として、中愛株式会社が販売している「スペクトラムフィルム」を使用することができる。
図４は、この考案の一実施形態に係る遊技場用表示パネル２０の一例を説明するための図であり、（Ａ）は正面図であり、（Ｂ）は（Ａ）のIVＢ−IVＢに沿う縦断面図である。
この実施形態に係る遊技場用表示パネル２０は、ベースボード２１（ベースボード２１は、図４（Ｂ）に示すように、浅い箱型になったベースボードであってもよい。）、ベースボード２１上に（浅い箱型の場合は、ベースボード２１内に）、一定の間隔を空けて縦横に配列された例えば９台のＬＥＤ表示器１０と、各ＬＥＤ表示器１０の出射用窓板１３を表面から露出させる表面パネル２２とを備えている。表面パネル２２には、一定の間隔で窓２３が開けられており、各窓２３からＬＥＤ表示器１０の出射用窓板１３が外方へ臨む構成をしている。
【００１９】
さらに、遊技場用表示パネル２０には、各ＬＥＤ表示器１０に電気的に接続された点灯制御回路２４が備えられている。点灯制御回路２４は、複数台（この実施形態では９台）のＬＥＤ表示器１０を予め定める規則に従って点灯・消灯させるための回路である。点灯制御回路２４は、例えば、通常モードでは、縦方向に配列された３つのＬＥＤ表示器１０、例えば１−４−７と、２−５−８と、３−６−９とを、それぞれ、同じ色に点灯させる。そして、同じ色に点灯した縦３台のＬＥＤ表示器１０が、その表示色が例えば右側から左側へと向って流れるように変化する点灯制御を行う。
【００２０】
また、この表示パネル２０によって呼び出し表示制御をする場合には、或る列、例えば３−６−９の列を白色に点灯させる。
さらに、不正発覚を表示する際には、或る列、例えば３−６−９を赤色に点滅させる。
さらに、遊技場において、大当たりが生じた場合には、９台のＬＥＤ表示器１０の点灯色を個別にランダムに変化させる。
【００２１】
このように、点灯制御回路２４は、表示パネル２０に含まれる複数台（この実施形態では９台）のＬＥＤ表示器１０の点灯色を制御したり、点灯／点滅のタイミングを制御したりする。点灯／点滅の制御内容は、予め組み込まれたプログラムに従って実行される。
図５（Ａ）（Ｂ）（Ｃ）は、それぞれ、ＬＥＤ表示器１０の実際の表示例を示す写真である。この写真に表われているように、ＬＥＤ表示器１０は、光学シート１８の作用により、一定の立体模様を表示する。
【００２２】
図６は、表示パネル２０の表示例を示す写真であり、やや斜め方向から見た写真である。図６によく表われているように、各ＬＥＤ表示器１０の表示は、斜めから見た際に、立体的な模様を表示する。
この考案は、以上説明した実施形態に限定されるものでない。この考案に係るＬＥＤ表示器は、遊技場の各種設備に組み込んで、光による装飾効果の高い遊技場用表示パネル、例えば妻板、幕板等として活用することができる。
【符号の説明】
【００２３】
１０    ＬＥＤ表示器
１１    基板
１２    枠体
１３    出射用窓板
１４    ＬＥＤチップ（ＬＥＤ光源）
１５    ＩＣ
１６    側壁
１７    上端縁
１８    光学シート
１９    開口
２０    遊技場用表示パネル
２１    ベースボード
２２    表面パネル
２３    窓
２４    点灯制御回路
１３１    窓板本体部
１３２    フランジ部
【図１】
0003197023.tif 000003
【図２】
0003197023.tif 000004
【図３】
0003197023.tif 000005
【図４】
0003197023.tif 000006
【図５】
0003197023.tif 000007
【図６】
0003197023.tif 000008